(57)【特許請求の範囲】
【請求項１】
地中に挿入する地中部と、空中に突出する地上部とからなり、設置面に立設する支柱構造を備え、前記支柱構造の設置面位置近傍の谷側移動を規制する支点構造を設けた防護体であって、
前記設置面の山側には山側斜面が位置し、前記設置面の反山側が斜面又は略垂直面であり、前記両斜面は山側に向って高くなる傾斜をなし、
前記支点構造は、前方山側に固設したアンカーと、前記支柱構造の前記設置面位置近傍と前記アンカーを連結する控えロープ材とを備え、
前記控えロープ材を前記設置面に接して略沿わせたことを特徴とする防護体。
【請求項２】
前記支点構造は、前記設置面位置近傍に設けた巻き立てコンクリートを備えることを特徴とする請求項１記載の防護体。
【請求項３】
前記アンカーと前記控えロープ材とがなす角度が３０度以下であることを特徴とする請求項１又は２記載の防護体。
【請求項４】
前記アンカーの頭部は、前記設置面と前記山側斜面の境目に位置し、前記頭部に前記控えロープ材を連結したことを特徴とする請求項１〜３のいずれか１項に記載の防護体。
【発明の詳細な説明】
【技術分野】
【０００１】
本発明は、防護体に関する。
【背景技術】
【０００２】
従来、この種の防護体として、所定の間隔で支柱を設け、各支柱の間に水平ロープ材を設け、各支柱間を水平ロープ材に掛止させたワイヤ製のネットで遮蔽した防護柵（例えば特許文献１）や、各支柱間にコンクリート製や金属製などからなる横杆を多段に設けた防護柵や、前記支柱の上部と支柱前側の斜面とを控えロープ材により連結した防護柵（例えば、特許文献２）などが知られている。
【特許文献１】特開平６−１７３２２１号公報
【特許文献２】特開２０００−２７３８２７号公報
【発明の開示】
【発明が解決しようとする課題】
【０００３】
上記の防護柵において、支柱下部を地中に建て込めことにより、支柱の基礎構造を簡略化あるいは不要とすることができるが、支柱上部が控えロープ材により位置固定されているから、山側からの積雪荷重を受けると、これに対して支柱下部が谷側の地盤支持力を受けて対抗する。この場合、支柱の谷側が傾斜面であるから、十分な地盤支持力を得るためには、平坦面に設置した場合に比べて、支柱下部の地中部分を長く取る必要がある。
【０００４】
また、上記のように支柱上部に控えロープ材を連結した構造では、斜面の積雪により控えロープ材に荷重が加わると、該控えロープ材が撓んで伸びを生じ、支柱を支持する支持張力が低下する問題がある。
【０００５】
そこで、本発明は、積雪，雪崩，土砂や落石などにより連結部材が影響を受けることがなく、基礎を不要とし、安定性に優れた防護体を提供することを目的とする。
【課題を解決するための手段】
【０００６】
請求項１の発明は、地中に挿入する地中部と、空中に突出する地上部とからなり、設置面に立設する支柱構造を備え、前記支柱構造の設置面位置近傍の谷側移動を規制する支点構造を設けた防護体であって、前記設置面の山側には山側斜面が位置し、前記設置面の反山側が斜面又は略垂直面であり、前記両斜面は山側に向って高くなる傾斜をなし、前記支点構造は、前方山側に固設したアンカーと、前記支柱構造の前記設置面位置近傍と前記アンカーを連結する控えロープ材とを備え、前記控えロープ材を前記設置面に接して略沿わせたものである。
【０００７】
また、請求項２の発明は、前記支点構造は、前記設置面位置近傍に設けた巻き立てコンクリートを備えるものである。
【０００８】
また、請求項３の発明は、前記アンカーと前記控えロープ材とがなす角度が３０度以下である。
【０００９】
また、請求項４の発明は、前記アンカーの頭部は、前記設置面と前記山側斜面の境目に位置し、前記頭部に前記控えロープ材を連結したものである。
【発明の効果】
【００１０】
請求項１の構成によれば、前記支柱構造の設置面位置近傍に、該支柱構造の設置面位置箇所の谷側移動を規制する支点構造を設けたから、地上部に山側から荷重が加わると、支点構造を中心に、地中部に対して山側の地盤支持力が作用し、谷側に比べて大きな地盤支持力を得ることができる。したがって、地中部も短いもので済む。
【００１１】
また、請求項１の構成によれば、前方山側に固定したアンカーと支柱構造とを控えロープ材により連結することにより、支柱構造の設置面位置近傍の谷側への移動を規制することができる。
【００１２】
また、請求項２の構成によれば、巻き立てコンクリート部により、支柱構造の設置面位置近傍の谷側への移動を規制することができる。また、巻き立てコンクリート部とアンカーを組み合わせた場合は、より一層確実な支点構造を得ることができる。
【００１３】
また、請求項１の構成によれば、控えロープ材が中空にないため、支柱構造を支持する控えロープ材が、積雪，雪崩，土砂や落石などの影響を受けることがない。
【００１４】
また、請求項３の構成によれば、アンカーは、長さ方向の引張り抵抗が大であるから、連結部材による支持力を効果的に得ることができる。
【発明を実施するための最良の形態】
【００１５】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な防護体を採用することにより、従来にない防護体が得られ、その防護体について記述する。
【実施例１】
【００１６】
以下、本発明の実施例１について、図１〜図２を参照して説明する。図１に示すように、防護体である雪崩予防柵１は、設置場所である斜面２には平坦面２Ｈが設けられ、この平坦面２Ｈに所定間隔を置いて複数の支柱構造３，３…を設け、この支柱構造３の地上部３Ａと斜面２の前側とを、連結部材である控えロープ材４により連結し、それら支柱構造３，３…の間に、可撓性を有する防護面を構成する横ロープ材５と網体６を設けてなる。
【００１７】
尚、前記支柱構造３は鋼管などからなり、それら支柱構造３，３…間に、前記横ロープ材５が設けられると共に、網体６が張設されている。
【００１８】
前記平坦面２Ｈの山側には山側斜面２Ａが位置し、谷側には谷側斜面２Ｂが位置する。それら両斜面２Ａ，２Ｂは山側に向って高くなる傾斜をなす。尚、斜面２Ｂに変えて略垂直面が設けられた場所でも良い。
【００１９】
前記支柱構造３は、空中に突出する前記地上部３Ａと、地中に挿入して固定する地中部３Ｂとからなる。
【００２０】
前記控えロープ材４は、ワイヤーロープなどからなり、その一端を支柱構造３の斜面位置Ｒの近傍に連結し、その他端をアンカー11により斜面２に固定する。前記アンカー11は、その地中先端側を斜め下向きにして斜面２の地山に固定されている。
【００２１】
具体的には、アンカー11の頭部11Ｔは、平坦面２Ｈと山側斜面２Ａの境目に位置し、支柱構造３の設置面位置Ｒと前記頭部11Ｔとを前記控えロープ材４が連結し、この控えロープ材４は平坦面２Ｈに略沿って配置されている。尚、図面では、理解を容易にするため、斜面２と控えロープ材４との間に隙間を設けているが、実際には、控えロープ材４は平坦面２Ｈに接している。これにより、控えロープ材４は、支柱構造３を引張り支持する。
【００２２】
この例では、前記アンカー11と、前記控えロープ材４とにより、支柱構造３の設置面位置近傍の谷側移動を規制する支点構造15を構成している。
【００２３】
そして、設計積雪深さの条件で地上部３Ａに設計荷重が加わると、支柱構造３の斜面位置Ｒの上下で、図２に示すように、山側にモーメントＭが発生する。これにより、設置面位置Ｒを略中心として、地中部３Ｂを山側に回転移動しようとする力が発生し、これに対して、地中部３Ｂ山側の地盤支持力が作用する。この場合、山側は斜面２であるため、大きな地盤支持力が得られる。これを簡易に説明すると、斜面２において、地中部３Ｂの山側に位置する山側部分Ｙが谷側部分より大きいから、山側の地盤支持力が大となる。
【００２４】
また、図１などに示すように、設置場所たる平坦面２Ｈの谷側に谷側斜面２Ｂが位置するような場合、地中部３Ｂの谷側は斜面２Ｂとの距離が短く、安定度が小さく、充分な支持力を得にくいため、谷側に支持力を負担させない、又は極力小さくする方がよく、この例のように支点構造15を設けることにより、それらに対応することができる。
【００２５】
さらに、控えロープ材４を斜面２の平坦面２Ｈに沿わせることにより、例えば、積雪荷重が控えロープ材４に加わることがなく、従来のように、控えロープ材４に積雪荷重により伸びが生じることがない。また、同様に、控えロープ材４が雪崩，土砂や落石などの影響を受けることもない。
【００２６】
前記地中部３Ｂは、斜面２の平坦面２Ｈに略垂直に掘削孔21を形成し、この掘削孔21に地中部３Ｂを挿入し、前記掘削孔21にグラウト材などの充填材（図示せず）を充填して建て込まれる。
【００２７】
そして、前記アンカー11と控えロープ材４とのなす角度θは３０度以下、好ましくは１５度以下である。アンカー11はその長さ方向の引張り力に対して大きな抵抗力を備えるから、このように角度θを設定することにより、控えロープ材４により大きな支持力を得ることができる。すなわち、頭部11Ｔにおいて、アンカー11と控えロープ材４とは角度θだけ向きを変えている。
【００２８】
このように本実施例では、請求項１に対応して、地中に挿入する地中部３Ｂと、空中に突出する地上部３Ａとからなり、設置面に立設する支柱構造３を備え、支柱構造３の設置面位置近傍の谷側移動を規制する支点構造15を設けた防護体であって、設置面が平坦面２Ｈであり、この平坦面２Ｈの山側には山側斜面２Ａが位置し、平坦面２Ｈの反山側が斜面２Ｂ又は略垂直面であり、両斜面２Ａ，２Ｂは山側に向って高くなる傾斜をなし、支点構造は、前方山側に固設したアンカー11と、支柱構造の設置面位置近傍とアンカー11を連結する控えロープ材４とを備え、控えロープ材４を平坦面２Ｈに接して略沿わせたから、支柱構造３に山側から荷重が加わると、地中部３Ｂに対して山側の地盤支持力が作用し、谷側に比べて大きな地盤支持力を得ることができる。したがって、地中部３Ｂも短いもので済み、施工も容易となる。
【００２９】
また、このように本実施例では、請求項１に対応して、支点構造15は、前方山側に固設したアンカー11と、支柱構造３の設置面位置近傍とアンカー11とを連結する連結部材たる控えロープ材４とを備えるから、前方山側に固定したアンカー11と支柱構造３と控えロープ材４により連結することにより、支柱構造３の設置面位置近傍の谷側への移動を規制することができる。
【００３０】
また、このように本実施例では、請求項１に対応して、連結部材たる控えロープ材４を設置面たる平坦面２Ｈに接して略沿わせたから、控えロープ材４が中空にないため、積雪，雪崩，土砂や落石などの影響を受けることがない。
【００３１】
また、このように本実施例では、請求項３に対応して、アンカー11と連結部材たる控えロープ材４とがなす角度θが３０度以下であるから、アンカー11は、長さ方向の引張り抵抗が大であるから、控えロープ材４による支持力を効果的に得ることができる。
【００３２】
また、このように本実施例では、請求項４に対応して、アンカー11の頭部11Ｔは、設置面たる平坦面２Ｈと山側斜面２Ａの境目に位置し、頭部11Ｔに控えロープ材４を連結して控えロープ材４を平坦面２Ｈに接して略沿わせる。
【００３３】
また、前記連結部材が控えロープ材４であるから、控えロープ材４により支柱構造３を支持することができる。さらに、設置面たる斜面２の反山側が斜面２Ｂ又は略垂直面であるから、反山側の支持力を充分に取れない設置場所で、支点構造15を用いて安定した支柱構造３を得ることができる。
【実施例２】
【００３４】
図３及び図４は本発明の実施例２を示し、上記実施例１と同一部分に同一符号を付し、その詳細な説明を省略して詳述すると、この例では、斜面２に、前記平坦面２Ｈを有する凹部31を有し、その平坦面２Ｈに支柱構造３を設置している。そして、図３に示すように、斜面２を掘削して平坦面２Ｈを有する凹部31を形成することができる。
【００３５】
このように本実施例では、上記実施例と同様な作用・効果を奏し、また、連続する斜面２にも平坦面２Ｈを簡便に設けることができる。
【実施例３】
【００３６】
図５は本発明の実施例３を示し、上記実施例１と同一部分に同一符号を付し、その詳細な説明を省略して詳述すると、この例では、アンカー11と連結部材からなる前記支点構造15を備え、さらに、前記平坦面２Ｈの下部に、支柱構造３の設置面位置近傍に巻き立てた巻き立てコンクリート部16を設け、この巻き立てコンクリート部16により、前記支点構造を構成している。
【００３７】
このように本実施例では、上記各実施例と同様な作用・効果を奏する。
【００３８】
また、このように本実施例では、請求項２に対応して、支点構造は、設置面位置近傍に設けた巻き立てコンクリート部16を備えるから、巻き立てコンクリート部16により、支柱構造３の設置面位置近傍の谷側への移動を規制することができる。
参考例
図６は本発明の参考例を示し、上記実施例１と同一部分に同一符号を付し、その詳細な説明を省略して詳述すると、この例では、前記支点構造15を用いることなく、前記支点構造として前記巻き立てコンクリート部16を用いている。
【００３９】
このように本参考例では、上記各実施例と同様な作用・効果を奏する。
【００４０】
なお、本発明は、前記実施例に限定されるものではなく、種々の変形実施が可能である。例えば、支柱構造は、鋼管以外でも、Ｈ形鋼などの形鋼でもよい。さらに、支点構造は、控えロープ材のように支柱構造を引張り支持するものや、巻き立てコンクリート部のように支柱構造の記設置面位置近傍を固定するものなどであれば、各種のものを用いることができる。
【図面の簡単な説明】
【００４１】
【図１】本発明の実施例１を示す全体側面図である。
【図２】同上、全体側面説明図である。
【図３】本発明の実施例２を示す全体側面図である。
【図４】同上、斜面の断面図である。
【図５】本発明の実施例３を示す全体側面図である。
【図６】参考例を示す全体側面図である。
【符号の説明】
【００４２】
１  雪崩予防柵（防護体）
２  斜面
２Ｈ  平坦面（設置面）
３  支柱構造
３Ａ  地上部
３Ｂ  地中部
４  控えロープ材（連結部材）
Ｒ  斜面位置
11  アンカー
11Ｔ  頭部
15  支点構造
16  巻き立てコンクリート部（支点構造）
Ｒ  連結箇所
【図１】
0005099593.tif 000002
【図２】
0005099593.tif 000003
【図３】
0005099593.tif 000004
【図４】
0005099593.tif 000005
【図５】
0005099593.tif 000006
【図６】
0005099593.tif 000007